Podtech/llm-jp-corpus-v4-ja_patent huggingface dataset:
【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】
スイッチ・マトリックスであって、
少なくとも１つの行コンダクタ、及び
少なくとも１つの列コンダクタ
からなり、前記少なくとも１つの行コンダクタ及び前記少なくとも１つの列コンダクタのうちの少なくとも１つを所定の電圧レベルで駆動することができ、その電圧レベルをそこから読み取ることができるスイッチ・マトリックス。
【請求項２】
請求項１記載のスイッチ・マトリックスであって、さらに、
前記行コンダクタを前記列コンダクタに接続するように構成されたスイッチ・エレメント
からなるスイッチ・マトリックス。
【請求項３】
前記スイッチ・エレメントの総数が前記行コンダクタの数と前記列コンダクタの数を掛け合わせて得られる数より大きい請求項２記載のスイッチ・マトリックス。
【請求項４】
前記スイッチ・エレメントが一時的接続タイプのスイッチ・エレメントである請求項２記載のスイッチ・マトリックス。
【請求項５】
前記スイッチ・エレメントが押しボタンである請求項２記載のスイッチ・マトリックス。
【請求項６】
前記スイッチ・エレメントが固定接続タイプのスイッチ・エレメントである請求項２記載のスイッチ・マトリックス。
【請求項７】
前記スイッチ・エレメントがスイッチである請求項２記載のスイッチ・マトリックス。
【請求項８】
前記スイッチ・エレメントの総数が前記行コンダクタと前記列コンダクタを掛け合わせて得られた数の２倍である請求項２記載のスイッチ・マトリックス。
【請求項９】
スイッチ・マトリックスであって、
複数の行コンダクタ、
複数の列コンダクタ、及び
前記少なくとも1つの行コンダクタを前記少なくとも1つの列コンダクタに接続するように構成された複数のスイッチ・エレメント
からなり、
前記複数のスイッチ・エレメントの総数が前記複数の行コンダクタの総数と前記複数の列コンダクタの総数の積より大きいスイッチ・マトリックス。
【請求項１０】
前記スイッチ・エレメントの総数が前記行コンダクタの総数と前記列コンダクタの総数の積の２倍である請求項９記載のスイッチ・マトリックス。
【請求項１１】
前記複数のスイッチ・エレメントが複数の押しボタンである請求項９記載のスイッチ・マトリックス。
【請求項１２】
前記複数のスイッチ・エレメントが複数のスイッチである請求項９記載のスイッチ・マトリックス。
【請求項１３】
前記複数のスイッチ・エレメントが複数と押しボタンと複数のスイッチである請求項９記載のスイッチ・マトリックス。
【請求項１４】
スイッチ・マトリックスであって、
複数の行コンダクタ、
複数の列コンダクタ、
前記複数の行コンダクタのうちの少なくとも１つを前記複数の列コンダクタの少なくとも１つに一時的に接続するように構成された少なくとも１つのスイッチ・エレメント、及び
前記複数の行コンダクタの少なくとも１つを前記複数の列コンダクタの少なくとも１つと固定的に接続するように構成された少なくとも１つのスイッチ・エレメント
からなるスイッチ・マトリックス。
【請求項１５】
前記複数の行コンダクタのうちの少なくとも１つを前記複数の列コンダクタの少なくとも１つに一時的に接続するように構成された前記少なくとも１つのスイッチ・エレメントが少なくとも１つの押しボタンであり、
前記複数の行コンダクタの少なくとも１つを前記複数の列コンダクタの少なくとも１つと固定的に接続するように構成された前記少なくとも１つのスイッチ・エレメントが少なくとも１つのスイッチである請求項１４記載のスイッチ・マトリックス。
【請求項１６】
スイッチ・マトリックスを走査する方法であって、
１回に複数の行コンダクタの少なくとも１つを所定の電圧レベルで駆動するステップ、
前記複数の行コンダクタの１つが前記所定の電圧で駆動されている間に複数の列コンダクタのぞれぞれをモニターするステップ、
１回に複数の列コンダクタの少なくとも１つを所定の電圧レベルで駆動するステップ、及び
前記複数の列コンダクタの１つが前記所定の電圧で駆動されている間に複数の行コンダクタのぞれぞれをモニターするステップ
からなるスイッチ・マトリックスを走査する方法。
【請求項１７】  
請求項１６記載のスイッチ・マトリックスを走査する方法であって、さらに、
前記複数の行コンダクタのモニター中に前記所定の電圧の存在に基づいて複数のスイッチ・エレメントの第１のものの閉鎖を検出するステップ、及び
前記複数のスイッチ・エレメントの前記最初の１つとは異なった前記複数のスイッチ・エレメントのうちの第２のものの閉鎖を検出し、その検出が前記複数の列コンダクタのモニター中に前記所定の電圧レベルの存在に基づいて行われるステップ
からなるスイッチ・マトリックスを走査する方法。
【請求項１８】
前記複数のスイッチ・エレメントが押しボタンである請求項１７記載のスイッチ・マトリックスを走査する方法。
【請求項１９】
前記複数のスイッチ・エレメントが複数のスイッチである請求項１７記載のスイッチ・マトリックスを走査する方法。
【請求項２０】
前記複数のスイッチ・エレメントが複数の押しボタンと複数のスイッチである請求項１７記載のスイッチ・マトリックスを走査する方法。
【手続補正書】
【提出日】平成18年12月15日(2006.12.15)
【手続補正１】
【補正対象書類名】明細書
【補正対象項目名】特許請求の範囲
【補正方法】変更
【補正の内容】
【特許請求の範囲】
【請求項１】 予め登録されたアプリケーションの実行指令を入力する複数のファンクションボタンを有する入力部と、実行指令に対応するアプリケーションを実行する実行部と、実行中のアプリケーションを表示する表示部と、各ファンクションボタンに対して登録されたアプリケーションの登録情報を記憶する記憶部と、前記ファンクションボタンが押下された際、アクティブ状態のアプリケーションが存在するか否かを判定する判定部と、前記ファンクションボタンの押下時間を測定する測定部と、判定部から判定結果及び測定部から測定結果を受けた際、所定時間以上押下されたファンクションボタンに対しアクティブ状態のアプリケーションを記憶部に記憶されたアプリケーションの登録情報として登録する登録部とを備えたことを特徴とするアプリケーション登録装置。
【請求項２】 前記登録部は、前記測定部からファンクションボタンが所定時間以上押下されたことを示す測定結果を受けた際、押下されたファンクションボタンに対して登録されたアプリケーションのファイルの使用状態を前記記憶部に記憶し、前記実行部は、再度同ファンクションボタンが押下された際、アプリケーションの使用状態のファイルから実行することを特徴とする請求項１記載のアプリケーション登録装置。
【請求項３】 前記登録部は、前記判定部から登録情報にアクティブ状態のアプリケーションが存在しない判定結果を受けた際、さらに前記押下されたファンクションボタンとは、別のファンクションボタンが所定時間以上押下されることにより、前記記憶部に記憶された前者のファンクションボタンに対応するアプリケーションと後者のファンクションボタンに対応するアプリケーション登録情報を交換し、登録することを特徴とする請求項１記載のアプリケーション登録装置。
【請求項４】 前記登録部は、アクティブ状態のアプリケーションの登録情報及びアプリケーションがアクティブ状態になった回数を前記記憶部に記憶し、前記判定部からアクティブ状態のアプリケーションが存在しない判定結果を受けた際、前記所定時間以上押下されたファンクションボタンに対しアクティブ状態になった回数が最も多いアプリケーションを前記記憶部の登録情報として登録することを特徴とする請求項１記載のアプリケーション登録装置。
【請求項５】 前記登録部は、アクティブ状態のアプリケーションの登録情報及びアプリケーションがアクティブ状態になった回数を前記記憶部に記憶し、前記判定部からアクティブ状態のアプリケーションが存在しない判定結果を受けた際、所定時間以上押下されたファンクションボタンに対して登録されたアプリケーションの登録情報を示すアプリケーションリストをアクティブ状態になった回数が多い順に前記表示部に表示し、あるファンクションボタンが押下された際、押下されたファンクションボタンに対してそのアプリケーションを前記記憶部の登録情報として登録することを特徴とする請求項１記載のアプリケーション登録装置。
【請求項６】ファンクションボタンを用いて、実行するアプリケーションの登録方法であって、前記ファンクションボタンの押下を検出する検出ステップと、前記検出ステップにて前記ファンクションボタンの押下を検出することにより、該ファンクションボタンの押下時間を測定する測定ステップと、前記測定ステップにて所定時間以上のファンクションボタンの押下を測定することにより、ファンクションボタンに対してアクティブ状態のアプリケーションを実行アプリケーションとして登録することを特徴とするアプリケーション登録方法。
【手続補正２】
【補正対象書類名】明細書
【補正対象項目名】０００９
【補正方法】変更
【補正の内容】
【０００９】
【課題を解決するための手段】
本発明は、予め登録されたアプリケーションの実行指令を入力する複数のファンクションボタンを有する入力部と、実行指令に対応するアプリケーションを実行する実行部と、実行中のアプリケーションを表示する表示部と、各ファンクションボタンに対して登録されたアプリケーションの登録情報を記憶する記憶部と、前記ファンクションボタンが押下された際、アクティブ状態のアプリケーションが存在するか否かを判定する判定部と、前記ファンクションボタンの押下時間を測定する測定部と、判定部から判定結果及び測定部から測定結果を受けた際、所定時間以上押下されたファンクションボタンに対しアクティブ状態のアプリケーションを記憶部に記憶されたアプリケーションの登録情報として登録する登録部とを備えたことを特徴とするアプリケーション登録装置である。
【手続補正３】
【補正対象書類名】明細書
【補正対象項目名】００１３
【補正方法】変更
【補正の内容】
【００１３】
前記登録部は、前記判定部から登録情報にアクティブ状態のアプリケーションが存在しない判定結果を受けた際、さらに前記押下されたファンクションボタンとは、別のファンクションボタンが所定時間以上押下されることにより、前記記憶部に記憶された前者のファンクションボタンに対応するアプリケーションと後者のファンクションボタンに対応するアプリケーション登録情報を交換し、登録するよう構成してもよい。
【手続補正４】
【補正対象書類名】明細書
【補正対象項目名】００１５
【補正方法】変更
【補正の内容】
【００１５】
前記登録部は、アクティブ状態のアプリケーションの登録情報及びアプリケーションがアクティブ状態になった回数を前記記憶部に記憶し、前記判定部からアクティブ状態のアプリケーションが存在しない判定結果を受けた際、前記所定時間以上押下されたファンクションボタンに対しアクティブ状態になった回数が最も多いアプリケーションを前記記憶部の登録情報として登録するよう構成してもよい。
【手続補正５】
【補正対象書類名】明細書
【補正対象項目名】００１７
【補正方法】変更
【補正の内容】
【００１７】
前記登録部は、アクティブ状態のアプリケーションの登録情報及びアプリケーションがアクティブ状態になった回数を前記記憶部に記憶し、前記判定部からアクティブ状態のアプリケーションが存在しない判定結果を受けた際、所定時間以上押下されたファンクションボタンに対して登録されたアプリケーションの登録情報を示すアプリケーションリストをアクティブ状態になった回数が多い順に前記表示部に表示し、あるファンクションボタンが押下された際、押下されたファンクションボタンに対してそのアプリケーションを前記記憶部の登録情報として登録するよう構成してもよい。
【手続補正６】
【補正対象書類名】明細書
【補正対象項目名】００１９
【補正方法】変更
【補正の内容】
【００１９】
本発明の別の観点によれば、ファンクションボタンを用いて、実行するアプリケーションの登録方法であって、前記ファンクションボタンの押下を検出する検出ステップと、前記検出ステップにて前記ファンクションボタンの押下を検出することにより、該ファンクションボタンの押下時間を測定する測定ステップと、前記測定ステップにて所定時間以上のファンクションボタンの押下を測定することにより、ファンクションボタンに対してアクティブ状態のアプリケーションを実行アプリケーションとして登録することを特徴とするアプリケーション登録方法が提供される。
【手続補正書】
【提出日】平成18年12月13日(2006.12.13)
【手続補正１】
【補正対象書類名】明細書
【補正対象項目名】特許請求の範囲
【補正方法】変更
【補正の内容】
【特許請求の範囲】
【請求項１】 情報入力部と、入力された情報を処理するＣＰＵを有する回路基板と、前記情報を表示する表示部と、前記情報を格納するメモリと、これらを内部に保持する外装体とからなる携帯情報端末装置において、
前記表示部を保持するとともに前記外装体に取付ける金属フレームと、
前記表示部と前記金属フレームとの間に設けられる弾性部材と、
を備えたことを特徴とする携帯情報端末装置。
【請求項２】 前記表示部は、液晶ディスプレイを有し、
前記情報入力部は、前記液晶ディスプレイ上に配置される透明タッチパネルを有し、
前記液晶ディスプレイと前記透明タッチパネルとは、前記弾性部材を介して一体的に前記金属フレームに保持されることを特徴とする請求項１記載の携帯情報端末装置。
【請求項３】 前記弾性部材は、断面がコの字状であり、前記表示部の周囲を包囲するように設けられていることを特徴とする請求項１記載の携帯情報端末装置。
【請求項４】 前記弾性部材は、前記表示部との接触面は平坦面であり、前記金属フレームとの接触面は凹凸面からなることを特徴とする請求項３記載の携帯情報端末装置。
【手続補正書】
【提出日】平成19年5月31日(2007.5.31)
【手続補正１】
【補正対象書類名】明細書
【補正対象項目名】特許請求の範囲
【補正方法】変更
【補正の内容】
【特許請求の範囲】
【請求項１】
ＣＰＵと、前記ＣＰＵに接続されているネットワークインタフェースと、スタティックスケジューリング時に転送されるデータを格納する第１メモリと、を備える複数のプロセッシングエレメントと、
前記各プロセッシングエレメントに接続され、前記各プロセッシングエレメントによって共有される第２メモリと、を備えることを特徴とするマルチプロセッサ。
【請求項２】
前記第２メモリは、ダイナミックスケジューリング時に前記各プロセッシングエレメントによって共通に使用されるデータを格納することを特徴とする請求項１に記載のマルチプロセッサ。
【請求項３】
前記第１メモリは、他の前記プロセッシングエレメントからアクセス可能な分散共有メモリであることを特徴とする請求項１又は２に記載のマルチプロセッサ。
【請求項４】
前記分散共有メモリは、送信側の前記ＣＰＵによって転送されるデータ及び同期フラグを書き込むことを特徴とする請求項３に記載のマルチプロセッサ。
【請求項５】
前記分散共有メモリは、デュアルポートメモリで構成され、
前記マルチプロセッサは、前記分散共有メモリの一つのポートに接続されるデータ転送コントローラを備えることを特徴とする請求項３に記載のマルチプロセッサ。
【請求項６】
前記プロセッシングエレメントは、当該プロセッシングエレメントだけからアクセス可能なローカルメモリを備えることを特徴とする請求項３に記載のマルチプロセッサ。
【請求項７】
前記ローカルメモリは、Ｌ１キャッシュとして使用でき、前記Ｌ１キャッシュのデータは同期するように制御されることを特徴とする請求項６に記載のマルチプロセッサ。
【請求項８】
前記第２メモリは、Ｌ２キャッシュとして使用できることを特徴とする請求項３に記載のマルチプロセッサ。
【請求項９】
前記第１メモリは、前記第１メモリを備えるプロセッシングエレメントだけからアクセス可能なローカルメモリであることを特徴とする請求項１又は２に記載のマルチプロセッサ。
【請求項１０】
前記プロセッシングエレメントは、他の前記プロセッシングエレメントからアクセス可能な分散共有メモリを備えることを特徴とする請求項９に記載のマルチプロセッサ。
【請求項１１】
前記分散共有メモリは、送信側の前記ＣＰＵによって転送されるデータ及び同期フラグがセットされることを特徴とする請求項１０に記載のマルチプロセッサ。
【請求項１２】
前記分散共有メモリは、デュアルポートメモリで構成され、
前記マルチプロセッサは、前記分散共有メモリの一つのポートに接続されるデータ転送コントローラを備えることを特徴とする請求項１０に記載のマルチプロセッサ。
【請求項１３】
前記ローカルメモリは、Ｌ１キャッシュとして使用できることを特徴とする請求項９に記載のマルチプロセッサ。
【請求項１４】
前記第２メモリは、Ｌ２キャッシュとして使用できることを特徴とする請求項９に記載のマルチプロセッサ。
【請求項１５】
前記ＣＰＵ及び前記ネットワークインタフェースに直接接続され、将来実行すべき命令を前記第１メモリから先読みするアジャスタブルプリフェッチ命令キャッシュをさらに備えることを特徴とする請求項１又は２に記載のマルチプロセッサ。
【請求項１６】
前記アジャスタブルプリフェッチ命令キャッシュは、予め決められたウェイに、将来実行される命令列を事前読み出しでき、指定された複数のウェイを先読みできるエリアとして使用可能であることを特徴とする請求項１５に記載のマルチプロセッサ。
【請求項１７】
前記アジャスタブルプリフェッチ命令キャッシュは、データキャッシュとして使用できることを特徴とする請求項１５に記載のマルチプロセッサ。
【請求項１８】
前記各プロセッシングエレメントに接続されており、前記各プロセッシングエレメントによって共有されるグローバルレジスタファイルをさらに備えることを特徴とする請求項１又は２に記載のマルチプロセッサ。
【請求項１９】
前記マルチプロセッサで実行されるコンパイラの指示によって前記第１メモリへデータが転送されることを特徴とする請求項１又は２に記載のマルチプロセッサ。
【請求項２０】
前記コンパイラは、粗粒度並列処理時と近細粒度タスク処理時とで、前記第１メモリへのデータの転送を異ならせることを特徴とする請求項１９に記載のマルチプロセッサ。
【請求項２１】
前記マルチプロセッサは、複数の前記プロセッシングエレメントを含む複数のシングルチップマルチプロセッサと、入出力を制御する入出力制御用プロセッサと、を備え、
前記第２メモリは、前記シングルチップマルチプロセッサとは別のチップに構成され、前記ＣＰＵとネットワークを介して接続されることによって前記シングルチップマルチプロセッサに共有されることを特徴とする請求項１又は２に記載のマルチプロセッサ。
【請求項２２】
ＣＰＵ及びデータを格納する第１メモリを備える複数のプロセッシングエレメントを備えるマルチプロセッサであって、
前記第１メモリは、当該プロセッシングエレメントだけからアクセス可能なローカルメモリとして用いられるモードと、データキャッシュとして使用されるモードとを切替可能であり、
前記マルチプロセッサは、前記各プロセッシングエレメントに接続され、前記各プロセッシングエレメントによって共有される第２メモリを備えることを特徴とするマルチプロセッサ。
【手続補正２】
【補正対象書類名】明細書
【補正対象項目名】０００６
【補正方法】変更
【補正の内容】
【０００６】
【課題を解決するための手段】
本発明は、ＣＰＵと、前記ＣＰＵに接続されているネットワークインタフェースと、スタティックスケジューリング時に転送されるデータを格納する第１メモリと、を備える複数のプロセッシングエレメントと、前記各プロセッシングエレメントに接続され、前記各プロセッシングエレメントによって共有される第２メモリと、を備えることを特徴とするマルチプロセッサを提供する。
【手続補正３】
【補正対象書類名】明細書
【補正対象項目名】０００７
【補正方法】変更
【補正の内容】
【０００７】
また、本発明の前記第１メモリは、他の前記プロセッシングエレメントからアクセス可能な分散共有メモリ、又は、前記第１メモリを備えるプロセッシングエレメントだけからアクセス可能なローカルメモリであり、前記第２メモリは、ダイナミックスケジューリング時に前記各プロセッシングエレメントによって共通に使用されるデータを格納することを特徴とする。
【手続補正書】
【提出日】平成19年10月30日(2007.10.30)
【手続補正１】
【補正対象書類名】明細書
【補正対象項目名】特許請求の範囲
【補正方法】変更
【補正の内容】
【特許請求の範囲】
【請求項１】  電子写真画像形成部材であって、少なくとも１つの写真画像形成層と、半導電性の保護膜層と、を含み、該半導電性の保護膜層は、架橋ポリアミド、電荷移動分子、及び酸化電荷移動分子を含む電荷移動連続マトリックス中に分散した電荷注入可能な微粒子を含み、前記連続マトリックスは、ａ）アミド窒素原子に結合するメトキシメチル基を含有する架橋可能なアルコール可溶性ポリアミドと、３未満のｐＫaを有する酸と、ホルムアルデヒド発生架橋剤、アルコキシラート架橋剤、メチロールアミン架橋剤、及びこれらの混合物からなる群から選択される架橋剤と、ジヒドロキシアリールアミンと、アルコール溶媒、希釈剤、及びこれらの混合物からなる群から選択される液体と、を含む第１の溶液と、ｂ）アミド窒素原子に結合するメトキシメチル基を含有しない架橋可能なアルコール可溶性ポリアミドと、３未満のｐＫaを有する酸と、アルコキシラート架橋剤、メチロールアミン架橋剤、及びこれらの混合物からなる群から選択される架橋剤と、ジヒドロキシアリールアミンと、アルコール溶媒、希釈剤、及びこれらの混合物からなる群から選択される液体と、を含む第２の溶液と、から選択される溶液から形成されることを特徴とする、電子写真画像形成部材。
【請求項２】  前記アミド窒素原子に結合するメトキシメチル基を含有する架橋可能なアルコール可溶性ポリアミドが、下記の式１及び２で示される材料から選択されることを特徴とする、請求項１に記載の電子写真画像形成部材。
式１
【化１】
2001175018.tif 000001
上記式中、ｎは正の整数であり、Ｒはアルキレン、アリーレン、又はアルカリーレンユニットの中から単独で選択され、Ｒ2部位の１〜９９％は−Ｈであり、残りのＲ2部位は−ＣＨ2−Ｏ−ＣＨ3である。
式２
【化２】
2001175018.tif 000002
上記式中、ｍは正の整数であり、Ｒ1及びＲは、アルキレン、アリーレン、又はアルカリーレンユニットの中から単独で選択され、Ｒ3及びＲ4部位の１〜９９％は−Ｈであり、残りのＲ3及びＲ4部位は−ＣＨ2−Ｏ−ＣＨ3である。
【請求項３】  前記アミド窒素原子に結合するメトキシメチル基を含有しない架橋可能なアルコール可溶性ポリアミドが、下記の式３又は４で示されることを特徴とする、請求項１に記載の電子写真画像形成部材。
式３
【化３】
2001175018.tif 000003
上記式中、ｘは正の整数であり、Ｒ5はアルキレン、アリーレン、又はアルカリーレンユニットの中から単独で選択される。
式４
【化４】
2001175018.tif 000004
上記式中、ｙは正の整数であり、Ｒ6及びＲ7は、アルキレン、アリーレン、又はアルカリーレンユニットの中から単独で選択される。
【請求項４】  電子写真画像形成方法であって、電荷移動層及び保護膜層を有する電子写真画像形成部材を提供する工程であって、前記保護膜層は、導電性の電荷移動マトリックス中に分散する電荷注入粒子を含み、前記マトリックスは、架橋ポリアミド内で分子分散された又は溶解された電荷移動分子と酸化電荷移動分子とを含み、前記保護膜層は前記移動層との境界面を形成する表面と、露出した画像形成表面とを有することを特徴とする、電子写真画像形成部材を提供する工程と、負の電荷を前記保護膜層の画像形成表面から前記保護膜層と前記移動層との間の境界面へ移動するために、前記導電性の電荷移動マトリックスからの自由電荷の注入、及び前記電荷注入粒子から前記導電性の電荷移動マトリックスへの自由電荷の注入を促進するように、均一な負の電荷を前記露出した画像形成表面に印加する工程と、を含む、電子写真画像形成方法。
【請求項５】  前記保護膜層が、電子写真画像形成部材が帯電される際に、２ＣＶ〜１０ＣＶのキャリアを有することを特徴とする、請求項４に記載の電子写真画像形成方法。
【手続補正２】
【補正対象書類名】明細書
【補正対象項目名】００５６
【補正方法】変更
【補正の内容】
【００５６】
第２の溶液にとって好ましいポリアミドは、架橋の前においてアミド窒素原子に結合されるメトキシメチル基を含まない架橋可能なアルコール可溶性ポリアミドを含み、次の式ＩＩＩ又はIＶにより表わされる。
【手続補正書】
【提出日】平成19年10月10日(2007.10.10)
【手続補正１】
【補正対象書類名】明細書
【補正対象項目名】特許請求の範囲
【補正方法】変更
【補正の内容】
【特許請求の範囲】
【請求項１】
−少なくとも１つの色成分画像を、複数の解像度レベルにおけるバンドパスディテール画像を含むマルチ−解像度画像表現と残りの画像に分解し、
−少なくとも１つの解像度レベルにおける少なくとも１つの色成分画像のマルチ−解像度画像表現を修正して単数もしくは複数の修正マルチ−解像度画像表現を得、
−それぞれの単数もしくは複数の色成分画像の残りの画像ならびに修正及び非修正バンドパスディテール画像に再構築アルゴリズムを適用することにより該単数もしくは複数の色成分画像を再構築し、該再構築アルゴリズムは、それを色成分画像の残りの画像及び非修正バンドパスディテール画像に適用すると、色成分画像又はその近似が得られるようなものである
段階を含む、ある色空間における１組の色成分画像により示されるカラー画像の強化法。
【請求項２】
該ディテール画像に少なくとも１つの非−線形修正関数を適用することにより、該単数もしくは複数のマルチ−解像度画像表現を修正する請求項１に従う方法。
【請求項３】
画素ｉにおける且つ解像度レベルｊにおけるディテール画像の値に、該色成分のディテール画像の画素値に依存する独立変数値において非−線形修正関数を評価することにより得られる因子を乗じることにより、該単数もしくは複数のマルチ−解像度画像表現を修正する請求項２に従う方法。
【請求項４】  該修正関数が
【数１】
2001175850.tif 000001
により定義され、ここで
ｍは上限値であり、
且つここで、
０＜ｐ＜１である値ｐは非線形の程度を決定する
請求項２に従う方法。
【手続補正書】
【提出日】平成18年12月13日(2006.12.13)
【手続補正１】
【補正対象書類名】明細書
【補正対象項目名】０１００
【補正方法】変更
【補正の内容】
【０１００】
［実施の形態５］
図１０は、実施の形態５に係る浮動小数点加算器を説明するためのブロック図である。
【手続補正２】
【補正対象書類名】明細書
【補正対象項目名】０１０９
【補正方法】変更
【補正の内容】
【０１０９】
請求項１０、１１に記載の浮動小数点加算器は、浮動小数点の加算や減算を行なうための機能ブロックを流用して、任意のクリッピングウインドウに対してクリップ上限値、下限値についてのクリップコードを同時に高速に生成することができる。
【手続補正３】
【補正対象書類名】明細書
【補正対象項目名】図１０
【補正方法】変更
【補正の内容】
【図１０】  実施の形態５に係る浮動小数点加算器を説明するためのブロック図であ
る。
【手続補正書】
【提出日】平成19年10月15日(2007.10.15)
【手続補正１】
【補正対象書類名】明細書
【補正対象項目名】特許請求の範囲
【補正方法】変更
【補正の内容】
【特許請求の範囲】
【請求項１】 医療診断イメージング・システム（１００）の性能に関連する情報を記録する方法であって、前記医療診断イメージング・システム（１００）の動作中に生の性能データを取得する工程（２１２）と、該生の性能データを要約した特性データを生成するように前記医療診断イメージング・システム（１００）の動作中に実時間で前記生の性能データを処理する工程（２１４）と、前記医療診断イメージング・システム（１００）の性能を識別させる前記特性データを出力する工程（２１６、２１８）とを有する方法。
【請求項２】 前記出力する工程は、バッファに記憶する工程（２１６）、傾向記録（１９７）に記録する工程、表示（１６５）する工程、及び中央処理システム（１８０）へ送信する工程のうち少なくとも１つの工程を更に含んでいる請求項１に記載の方法。
【請求項３】 前記処理する工程（２１４）は、前記生の性能データに基づいて前記特性データとして傾向統計を算出する工程（３１０〜３３２、４００〜４２４）を含んでいる請求項１に記載の方法。
【請求項４】 医療診断イメージング・システム（１００）の性能に関連する情報を記録する装置であって、当該サブシステムの性能に関連する少なくとも１つのパラメータを有する少なくとも１つの医療診断イメージング・サブシステム（１１０〜１８０）と、該医療診断イメージング・サブシステム（１１０〜１８０）の動作中に生の性能データを動的に取得する取得モジュール（１９０）と、前記生の性能データを要約した特性データを生成するように前記医療診断イメージング・サブシステム（１１０〜１８０）の動作中に実時間で前記生の性能データを処理する処理モジュール（１９５）と、前記医療診断イメージング（１００）の性能を識別させる前記特性データを出力する出力モジュール（１９７、１６５、１８０）とを備えた装置。
【請求項５】 前記取得モジュール（１９０）は、前記医療診断イメージング・システム（１００）の動作中の生の性能データの動的な遠隔取得を可能にしている請求項４に記載の装置。
【請求項６】 前記出力モジュールは、記憶バッファ、傾向記録（１９７）、表示器（１６５）及び中央処理システム（１８０）のうち少なくとも１つを含んでいる請求項４に記載の装置。
【請求項７】 医療診断イメージング・システム（１００）の性能分析を動的に構成する方法であって、医療診断イメージング・システム（１００）の性能に関連する複数のパラメータを定義する工程（５００）と、対応する形式の性能分析に関連して定義されているパラメータ構成に基づいて前記パラメータのうち少なくとも１つのパラメータを動的に選択する工程（５１０、５１５）とを有する方法。
【請求項８】 前記選択する工程は、所望の形式の性能分析に関連するパラメータを指定する構成ファイルをダウンロードする工程（５１０）を更に含んでいる請求項７に記載の方法。
【請求項９】 医療診断イメージング・システム（１００）の性能分析を動的に構成する装置であって、それ自身の性能に関連する複数のパラメータを有する少なくとも１つの医療診断イメージング・サブシステム（１１０〜１８０）と、対応する形式の性能分析に関連して定義されているパラメータ構成に基づいて前記パラメータのうち少なくとも１つのパラメータを動的に選択する構成モジュール（１９６）とを備えた装置。
【請求項１０】 前記構成モジュールは、所望の形式の性能分析に関連するパラメータを指定したダウンロード可能な構成ファイル（１９８）を更に含んでいる請求項９に記載の装置。
【手続補正書】
【提出日】平成18年12月18日(2006.12.18)
【手続補正１】
【補正対象書類名】明細書
【補正対象項目名】特許請求の範囲
【補正方法】変更
【補正の内容】
【特許請求の範囲】
【請求項１】  選択されることにより対応するアプリケーションプログラムを起動するアイテムボタンと、情報入力手段の所定のボタン又はキーを所定時間以上押すことにより現在実行されているアプリケーションプログラムを前記アイテムボタンと対応させて登録するプログラム登録手段と、を備えることを特徴とするランチャシステム。
【請求項２】  前記プログラム登録手段は、押される前記ボタン又はキーの位置に応じた位置の前記アイテムボタンにアプリケーションプログラムを登録することを特徴とする請求項１記載のランチャシステム。
【請求項３】  前記情報入力手段は、押されることによりその位置に対応した前記アイテムボタンに対応するアプリケーションプログラムを起動するアプリケーションの起動ボタンを有することを特徴とする請求項１又は２記載のランチャシステム。
【請求項４】  アイテムボタンが選択されることにより対応するアプリケーションプログラムを起動する起動ステップと、
情報入力手段の所定のボタン又はキーを所定時間以上押すことにより現在実行されているアプリケーションプログラムを前記アイテムボタンと対応させて登録するプログラム登録ステップと、
を備えるためのプログラム。
【手続補正書】
【提出日】平成18年12月11日(2006.12.11)
【手続補正１】
【補正対象書類名】明細書
【補正対象項目名】特許請求の範囲
【補正方法】変更
【補正の内容】
【特許請求の範囲】
【請求項１】
仮想空間から視野変換された２頂点の座標値をもとに、浮動小数点型で与えられたＸ方向とＹ方向の両ベクトル成分を符号部、指数部及び仮数部に分ける分割ステップと、
前記仮数部の最上位にビットを付加する付加ステップと、
前記両ベクトル成分の指数部の値を比較する比較ステップと、
前記比較した差に基づいて、前記ビットを付加した仮数部の値をビットシフトするシフトステップと、
前記シフト後の両ベクトル成分の仮数部の値を抽出する抽出ステップと、
Ｘ方向とＹ方向の各ベクトル正規化演算結果を予め記憶しているメモリ領域に対し、前記抽出した両ベクトル成分の仮数部の値に対応する前記メモリ領域上のアドレスを生成するアドレス生成ステップと、
前記アドレスに対応する前記メモリ領域上の正規化演算結果を読み出す読み出しステップと、
前記符号部を参照して、前記読み出した正規化演算結果に符号合わせをする符号合わせステップと、を有し、
前記符号合わせした正規化演算結果と、前記２頂点を結んだ線分に予め設定した幅の長さとを用いて、前記線分の幅領域を形成する４頂点の座標値を生成して描画することを特徴とする画像処理方法。
【請求項２】
前記抽出ステップは、前記シフトした仮数部の値を２進数で表記したときの上位Ｎビットを抽出し、前記抽出した値は、０以上２Ｎ−１以下の各整数値である請求項１に記載の画像処理方法。
【請求項３】
仮想空間から視野変換された２頂点の座標値をもとに、浮動小数点型で与えられたＸ方向とＹ方向の両ベクトル成分を符号部、指数部及び仮数部に分ける分割手段と、
前記仮数部の最上位にビットを付加する付加手段と、
前記両ベクトル成分の指数部の値を比較する比較手段と、
前記比較した差に基づいて、前記ビットを付加した仮数部の値をビットシフトするシフト手段と、
前記シフト後の両ベクトル成分の仮数部の値を抽出する抽出手段と、
Ｘ方向とＹ方向の各ベクトル正規化演算結果を予め記憶しているメモリ領域に対し、前記抽出した両ベクトル成分の仮数部の値に対応する前記メモリ領域上のアドレスを生成するアドレス生成手段と、
前記アドレスに対応する前記メモリ領域上の正規化演算結果を読み出す読み出し手段と、
前記符号部を参照して、前記読み出した正規化演算結果に符号合わせをする符号合わせ手段と、を備え、
前記符号合わせした正規化演算結果と、前記２頂点を結んだ線分に予め設定した幅の長さとを用いて、前記線分の幅領域を形成する４頂点の座標値を生成して描画することを特徴とする画像処理装置。
【請求項４】
前記抽出手段は、前記シフトした仮数部の値を２進数で表記したときの上位Ｎビットを抽出し、前記抽出した値は、０以上２Ｎ−１以下の各整数値である請求項３に記載の画像処理装置。
【手続補正２】
【補正対象書類名】明細書
【補正対象項目名】０００９
【補正方法】変更
【補正の内容】
【０００９】
【課題を解決するための手段】
上記の課題を解決するため、本発明にかかわる画像処理装置は、仮想空間から視野変換された２頂点の座標値をもとに、浮動小数点型で与えられたＸ方向とＹ方向の両ベクトル成分を符号部、指数部及び仮数部に分ける分割手段と、前記仮数部の最上位にビットを付加する付加手段と、前記両ベクトル成分の指数部の値を比較する比較手段と、前記比較した差に基づいて、前記ビットを付加した仮数部の値をビットシフトするシフト手段と、前記シフト後の両ベクトル成分の仮数部の値を抽出する抽出手段と、Ｘ方向とＹ方向の各ベクトル正規化演算結果を予め記憶しているメモリ領域に対し、前記抽出した両ベクトル成分の仮数部の値に対応する前記メモリ領域上のアドレスを生成するアドレス生成手段と、前記アドレスに対応する前記メモリ領域上の正規化演算結果を読み出す読み出し手段と、前記符号部を参照して、前記読み出した正規化演算結果に符号合わせをする符号合わせ手段と、を備え、前記符号合わせした正規化演算結果と、前記２頂点を結んだ線分に予め設定した幅の長さとを用いて、前記線分の幅領域を形成する４頂点の座標値を生成して描画することを特徴とする。
【手続補正３】
【補正対象書類名】明細書
【補正対象項目名】００１２
【補正方法】変更
【補正の内容】
【００１２】
本発明に係わる画像処理方法は、仮想空間から視野変換された２頂点の座標値をもとに、浮動小数点型で与えられたＸ方向とＹ方向の両ベクトル成分を符号部、指数部及び仮数部に分ける分割ステップと、前記仮数部の最上位にビットを付加する付加ステップと、前記両ベクトル成分の指数部の値を比較する比較ステップと、前記比較した差に基づいて、前記ビットを付加した仮数部の値をビットシフトするシフトステップと、前記シフト後の両ベクトル成分の仮数部の値を抽出する抽出ステップと、Ｘ方向とＹ方向の各ベクトル正規化演算結果を予め記憶しているメモリ領域に対し、前記抽出した両ベクトル成分の仮数部の値に対応する前記メモリ領域上のアドレスを生成するアドレス生成ステップと、前記アドレスに対応する前記メモリ領域上の正規化演算結果を読み出す読み出しステップと、前記符号部を参照して、前記読み出した正規化演算結果に符号合わせをする符号合わせステップと、を有し、前記符号合わせした正規化演算結果と、前記２頂点を結んだ線分に予め設定した幅の長さとを用いて、前記線分の幅領域を形成する４頂点の座標値を生成して描画することを特徴とする。
【手続補正書】
【提出日】平成18年12月6日(2006.12.6)
【手続補正１】
【補正対象書類名】明細書
【補正対象項目名】発明の名称
【補正方法】変更
【補正の内容】
【発明の名称】マルチファンクションキー装置を備えた無線電話装置
【手続補正２】
【補正対象書類名】明細書
【補正対象項目名】特許請求の範囲
【補正方法】変更
【補正の内容】
【特許請求の範囲】
【請求項１】
複数点検出が可能なマルチファンクションキー本体と、このマルチファンクションキー本体の各検出箇所からの信号を検出したとき、それぞれの検出箇所に対応した無線電話装置の動作が行われるように無線電話装置内の制御対象物を制御するとともに、複数の検出箇所からの信号を同時に検出したとき、検出箇所の組み合わせに対応した無線電話装置の動作が行われるように無線電話装置内の制御対象物を制御する制御手段とを備えたことを特徴とするマルチファンクションキー装置を備えた無線電話装置。
【手続補正３】
【補正対象書類名】明細書
【補正対象項目名】０００１
【補正方法】変更
【補正の内容】
【０００１】
【発明の属する技術分野】
本発明は、一つのキーで複数の動作を行なうマルチファンクションキー装置を備えた無線電話装置に関するものである。
【手続補正４】
【補正対象書類名】明細書
【補正対象項目名】００１０
【補正方法】変更
【補正の内容】
【００１０】
そこで、本発明はこの問題を除去し、検出箇所より多い種類の動作を割り当てることが可能なマルチファンクションキー装置を備えた無線電話装置を提供することを目的とする。
【手続補正５】
【補正対象書類名】明細書
【補正対象項目名】００１１
【補正方法】変更
【補正の内容】
【００１１】
【課題を解決するための手段】
請求項１に記載の本発明に係るマルチファンクションキー装置を備えた無線電話装置は、複数点検出が可能なマルチファンクションキー本体と、このマルチファンクションキー本体の各検出箇所からの信号を検出したとき、それぞれの検出箇所に対応した無線電話装置の動作が行われるように無線電話装置内の制御対象物を制御するとともに、複数の検出箇所からの信号を同時に検出したとき、検出箇所の組み合わせに対応した無線電話装置の動作が行われるように無線電話装置内の制御対象物を制御する制御手段とを備えたことを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
平面的なグランドパターンと、
前記グランドパターン側の縁部に、曲線と傾きが段階的に変更されて接続された線分とのうち少なくともいずれかで構成され且つ前記グランドパターンとの距離を連続して変化させる連続変化部分が設けられた平面エレメントと、
を有し、
前記グランドパターンと前記平面エレメントとは、完全には重なることがなく、互いの面が平行又は実質的に平行に配置され、
前記平面エレメントにおける前記グランドパターン側の縁部と、前記グランドパターンにおける前記平面エレメント側の縁部とが非対称であり、
前記連続変化部分において、前記平面エレメントの給電位置から遠ざかるにつれて前記グランドパターンとの距離が増加し、
前記グランドパターンのサイズが、前記平面エレメントのサイズより大きい
アンテナ。
【手続補正書】
【提出日】平成19年6月14日(2007.6.14)
【手続補正１】
【補正対象書類名】特許請求の範囲
【補正対象項目名】全文
【補正方法】変更
【補正の内容】
【特許請求の範囲】
【請求項１】
入賞領域に遊技球が入賞すると、所定個の賞球が遊技者に払い出される遊技機であって、電源投入時に電源断直前の内容が保持されている保持データにもとづいて遊技状態を復帰させる遊技状態復帰制御を行うことが可能であり、
ＲＡＭを有し、遊技進行を制御して、入賞に応じて払い出すべき賞球数を示す払出制御コマンドを出力する遊技制御用マイクロコンピュータと、
ＲＡＭを有し、入賞に応じて前記遊技制御用マイクロコンピュータから出力される前記払出制御コマンドにもとづいて賞球払出制御を行う払出制御用マイクロコンピュータと、
遊技機への電源断時に前記遊技制御用マイクロコンピュータおよび前記払出制御用マイクロコンピュータのＲＡＭの記憶内容を保持させるためのバックアップ電源と、
遊技機に供給される電源を監視して、電圧低下を検出したときに検出信号を出力する電源監視手段とを備え、
前記電源監視手段は、前記検出信号を、前記遊技制御用マイクロコンピュータと前記払出制御用マイクロコンピュータとに出力し、
前記電源監視手段からの前記検出信号は、前記遊技制御用マイクロコンピュータの入力ポートに入力され、
前記遊技制御用マイクロコンピュータは、前記入力ポートを監視して、前記検出信号が入力されたことを検出したときに、ＲＡＭアクセス禁止処理を含む電源断時処理を実行し、
前記払出制御用マイクロコンピュータは、前記電源監視手段からの前記検出信号の入力に応じて、制御状態を復旧させるために必要なデータを前記ＲＡＭに保存するための電源断時処理を実行し、
前記払出制御用マイクロコンピュータは、
電源投入時に、前記ＲＡＭに賞球数の記憶が保持されていたことを条件に、未払出の賞球の賞球払出制御を実行し、
前記払出制御用マイクロコンピュータが電源断時処理を開始するタイミングを、前記遊技制御用マイクロコンピュータが電源断時処理を開始するタイミングよりも遅らせるための遅延時間を作成する遅延手段を備えた
ことを特徴とする遊技機。
【手続補正２】
【補正対象書類名】明細書
【補正対象項目名】００１５
【補正方法】変更
【補正の内容】
【００１５】
そこで、本発明は、複数の電気部品制御基板を備えた構成において、各電気部品制御基板の立ち下げの順序を合理的に管理できる遊技機を提供することを目的とする。
【手続補正３】
【補正対象書類名】明細書
【補正対象項目名】００１６
【補正方法】変更
【補正の内容】
【００１６】
本発明による遊技機は、入賞領域に遊技球が入賞すると、所定個の賞球が遊技者に払い出される遊技機であって、電源投入時に電源断直前の内容が保持されている保持データにもとづいて遊技状態を復帰させる遊技状態復帰制御を行うことが可能であり、ＲＡＭを有し、遊技進行を制御して、入賞に応じて払い出すべき賞球数を示す払出制御コマンドを出力する遊技制御用マイクロコンピュータと、ＲＡＭを有し、入賞に応じて遊技制御用マイクロコンピュータから出力される払出制御コマンドにもとづいて賞球払出制御を行う払出制御用マイクロコンピュータと、遊技機への電源断時に遊技制御用マイクロコンピュータおよび払出制御用マイクロコンピュータのＲＡＭの記憶内容を保持させるためのバックアップ電源と、遊技機に供給される電源を監視して、電圧低下を検出したときに検出信号を出力する電源監視手段とを備え、電源監視手段は、検出信号を、遊技制御用マイクロコンピュータと払出制御用マイクロコンピュータとに出力し、電源監視手段からの検出信号は、遊技制御用マイクロコンピュータの入力ポートに入力され、遊技制御用マイクロコンピュータは、入力ポートを監視して、検出信号が入力されたことを検出したときに、ＲＡＭアクセス禁止処理を含む電源断時処理を実行し、払出制御用マイクロコンピュータは、電源監視手段からの検出信号の入力に応じて、制御状態を復旧させるために必要なデータをＲＡＭに保存するための電源断時処理を実行し、払出制御用マイクロコンピュータは、電源投入時に、ＲＡＭに賞球数の記憶が保持されていたことを条件に、未払出の賞球の賞球払出制御を実行し、払出制御用マイクロコンピュータが電源断時処理を開始するタイミングを、遊技制御用マイクロコンピュータが電源断時処理を開始するタイミングよりも遅らせるための遅延時間を作成する遅延手段を備えたことを特徴とする。
【手続補正４】
【補正対象書類名】明細書
【補正対象項目名】００２５
【補正方法】変更
【補正の内容】
【００２５】
本発明によれば、遊技機を、払出制御用マイクロコンピュータが電源断時処理を開始するタイミングを、遊技制御用マイクロコンピュータが電源断時処理を開始するタイミングよりも遅らせるための遅延時間を作成する遅延手段を備えた構成にしたので、遊技制御用マイクロコンピュータからの払出制御コマンドが受信側の払出制御用マイクロコンピュータで受信されないという事態は生じない効果がある。
【手続補正書】
【提出日】平成19年6月1日(2007.6.1)
【手続補正１】
【補正対象書類名】明細書
【補正対象項目名】特許請求の範囲
【補正方法】変更
【補正の内容】
【特許請求の範囲】
【請求項１】  原稿画像を読み取る読み取り手段によって読み取られた画像データを画像処理する画像処理装置において、
前記画像データ中の文字領域を検出する文字領域検出手段と、
前記文字領域検出手段によって検出された各文字領域内の文字について文字方向を判別する文字方向判別手段と、
前記文字方向判別手段により文字方向が判別不能の文字が検出された場合、その文字が存在する文字領域内の文字判定を終了させ、順次別の文字領域内の文字についての文字方向判別を行わせるように前記文字方向判別手段の判別処理を制御する制御手段と、
前記文字方向判別手段による各文字領域の判別結果に基づいて前記画像データの文書方向を判別する文書方向判別手段と、
を有することを特徴とする画像処理装置。
【請求項２】  前記制御手段は、前記文字方向判別手段による各文字領域の文字方向判別処理を所定時間内で終了させ、前記文書方向判別手段による文書方向の判別処理に移行させるように制御することを特徴とする請求項１記載の画像処理装置。
【請求項３】  前記文書方向判別手段は、前記文字方向判別手段による各文字領域の判別結果の多数決により原稿画像の文書方向を判別することを特徴とする請求項１又は２記載の画像処理装置。
【請求項４】  前記文字方向判別手段は、前記各文字領域内の文字について複数の方向から文字認識を行い、文字認識精度の最も高い方向を文字方向と判別することを特徴とする請求項１〜３のいずれかに記載の画像処理装置。
【請求項５】  前記文書方向判別手段は、前記文字方向判別手段が文字認識した前記複数の方向の文字認識精度を、前記各文字領域について平均して平均値を求め、該平均値の最も高い方向を原稿画像の文書方向と判別することを特徴とする請求項４記載の画像処理装置。
【請求項６】  前記文字方向判別手段は、前記複数の方向の文字認識精度が所定の閾値を超えていない文字、又は文字認識精度が最も高い方向と２番目に高い方向との文字認識制度の差が所定の閾値を超えていない文字について、文字方向を判別不能とすることを特徴とする請求項４記載の画像処理装置。
【請求項７】  原稿画像を読み取る読み取り手段によって読み取られた画像データを画像処理する画像処理装置の制御方法において、
前記画像データ中の文字領域を検出する文字領域検出工程と、
前記文字領域検出工程によって検出された各文字領域内の文字について文字方向を判別し、文字方向が判別不能の文字が検出された場合、その文字が存在する文字領域内の文字判定を終了させ、順次別の文字領域内の文字についての文字方向判別を行わせる文字方向判別工程と、
前記文字方向判別工程による各文字領域の判別結果に基づいて前記画像データの文書方向を判別する文書方向判別工程と、
を有することを特徴とする画像処理装置の制御方法。
【請求項８】  前記文字方向判別工程は、各文字領域の文字方向判別処理を所定時間内で終了し、前記文書方向判別工程による文書方向の判別処理に移行することを特徴とする請求項７記載の画像処理装置の制御方法。
【請求項９】  前記文書方向判別工程は、前記文字方向判別工程による各文字領域の判別結果の多数決により原稿画像の文書方向を判別することを特徴とする請求項７又は８記載の画像処理装置の制御方法。
【請求項１０】  前記文字方向判別工程は、前記各文字領域内の文字について複数の方向から文字認識を行い、文字認識精度の最も高い方向を文字方向と判別することを特徴とする請求項７〜９のいずれかに記載の画像処理装置の制御方法。
【請求項１１】  前記文書方向判別工程は、前記文字方向判別工程が文字認識した前記複数の方向の文字認識精度を、前記各文字領域について平均して平均値を求め、該平均値の最も高い方向を原稿画像の文書方向と判別することを特徴とする請求項１０記載の画像処理装置の制御方法。
【請求項１２】  前記文字方向判別工程は、前記複数の方向の文字認識精度が所定の閾値を超えていない文字、又は文字認識精度が最も高い方向と２番目に高い方向との文字認識制度の差が所定の閾値を超えていない文字について、文字方向を判別不能とすることを特徴とする請求項１０記載の画像処理装置の制御方法。
【請求項１３】  請求項６〜１２のいずれかに記載された画像処理装置の制御方法を実現することを特徴とするプログラム。
【請求項１４】  請求項６〜１２のいずれかに記載された画像処理装置の制御方法を実行するためのプログラムをコンピュータが読み取り可能に記憶した記憶媒体。
【手続補正２】
【補正対象書類名】明細書
【補正対象項目名】００１０
【補正方法】変更
【補正の内容】
【００１０】
本発明に係る第５の発明は、前記文書方向判別手段（図２に示すＣＰＵ２０１）は、前記文字方向判別手段（図４に示す文字認識／方向判別部４０２）が文字認識した前記各方向の文字認識精度を、前記複数の文字領域について平均して平均値を求め、該平均値の最も高い方向を原稿画像の文書方向と判別することを特徴とする。
【手続補正３】
【補正対象書類名】明細書
【補正対象項目名】００１１
【補正方法】変更
【補正の内容】
【００１１】
本発明に係る第６の発明は、前記文字方向判別手段（図４に示す文字認識／方向判別部４０２）は、前記複数の方向の文字認識精度が所定の閾値を超えていない文字、又は文字認識精度が最も高い方向と２番目に高い方向との文字認識制度の差が所定の閾値を超えていない文字について、文字方向を判別不能とすることを特徴とする。
【手続補正４】
【補正対象書類名】明細書
【補正対象項目名】００１６
【補正方法】変更
【補正の内容】
【００１６】
本発明に係る第１１の発明は、前記文書方向判別工程（不図示の工程）は、前記文字方向判別工程が文字認識した前記複数の方向の文字認識精度を、前記各文字領域について平均して平均値を求め、該平均値の最も高い方向を原稿画像の文書方向と判別することを特徴とする。
【手続補正５】
【補正対象書類名】明細書
【補正対象項目名】００１７
【補正方法】変更
【補正の内容】
【００１７】
本発明に係る第１２の発明は、前記文字方向判別工程（図５のステップＳ４）は、前記複数の方向の文字認識精度が所定の閾値を超えていない文字、又は文字認識精度が最も高い方向と２番目に高い方向との文字認識制度の差が所定の閾値を超えていない文字について、文字方向を判別不能とすることを特徴とする。